(57)【要約】  【課題】  特別な登録作業等を行うことなく、ネットワーク端末の管理における負担を軽減することのできる技術を提供する。  【解決手段】  管理対象である複数のネットワーク端末に対応付けられているＩＰアドレスを取得するＩＰアドレス取得部と、前記ＩＰアドレス取得部にてＩＰアドレスが取得されたネットワーク端末に関する情報を、前記ＩＰアドレスに基づいてソートするソート実行部とを有する。  【選択図】  図２
2006295459.tif 000002
【特許請求の範囲】
【請求項１】
管理対象である複数のネットワーク端末に対応付けられているＩＰアドレスを取得するＩＰアドレス取得部と、
前記ＩＰアドレス取得部にてＩＰアドレスが取得されたネットワーク端末に関する情報を、前記ＩＰアドレスに基づいてソートするソート実行部と
を有するネットワーク端末管理装置。
【請求項２】
請求項１に記載のネットワーク端末管理装置において、
ユーザの操作入力に基づいて、前記ＩＰアドレス取得部にて取得されるＩＰアドレスのネットワークアドレス部分における任意のセグメントを選択するセグメント選択部と、
前記セグメント選択部にて選択されたセグメントに属するＩＰアドレスが対応付けられているネットワーク端末を抽出する端末抽出部と
を有するネットワーク端末管理装置。
【請求項３】
請求項１に記載のネットワーク端末管理装置において、
前記端末抽出部にて抽出されたネットワーク端末の中から、所定の情報に基づいて画像処理装置のみを抽出する画像処理装置抽出部を有するネットワーク端末管理装置。
【請求項４】
管理対象である複数のネットワーク端末に対応付けられているＩＰアドレスを取得するＩＰアドレス取得ステップと、
前記ＩＰアドレス取得ステップにてＩＰアドレスが取得されたネットワーク端末に関する情報を、前記ＩＰアドレスに基づいてソートするソート実行ステップと
をコンピュータに実行させるネットワーク端末管理プログラム。
【請求項５】
請求項１に記載のネットワーク端末管理プログラムにおいて、
ユーザの操作入力に基づいて、前記ＩＰアドレス取得ステップにて取得されるＩＰアドレスのネットワークアドレス部分における任意のセグメントを選択するセグメント選択ステップと、
前記セグメント選択ステップにて選択されたセグメントに属するＩＰアドレスが対応付けられているネットワーク端末を抽出する端末抽出ステップと
を有するネットワーク端末管理プログラム。
【発明の詳細な説明】
【技術分野】
【０００１】
本発明は、ネットワーク端末管理装置およびネットワーク端末管理プログラムに関するものである。
【背景技術】
【０００２】
従来、ＰＣやＭＦＰ等のネットワーク端末をＬＡＮ等の電気通信回線で通信可能に接続し、サーバ等によってこれらネットワーク端末の管理を行う技術が知られる（例えば、特許文献１参照。）。
【特許文献１】特開平１１−３５３１４５号公報
【発明の開示】
【発明が解決しようとする課題】
【０００３】
複数台のネットワーク端末を管理する際、それらのネットワーク端末が異なる配置場所（異なる部屋、異なるフロア）に分割して配置されている場合、その分割されたネットワーク端末のグループ毎に管理を行いたい場合がある。
【０００４】
しかし、このような分割されたグループ毎の管理を行うためには、それぞれのグループを判別するために、これら複数台のネットワーク端末に関して判別情報（例えば、何階に配置されているか、どの部署で利用されているか等）の登録等を行う必要があり、管理者に負担となっていた。
【０００５】
本発明は上述した問題点を解決するためになされたものであり、特別な登録作業等を行うことなく、ネットワーク端末の管理における負担を軽減することのできる技術を提供することを目的とする。
【課題を解決するための手段】
【０００６】
上述した課題を解決するため、本発明に係るネットワーク端末管理装置は、管理対象である複数のネットワーク端末に対応付けられているＩＰアドレスを取得するＩＰアドレス取得部と、前記ＩＰアドレス取得部にてＩＰアドレスが取得されたネットワーク端末に関する情報を、前記ＩＰアドレスに基づいてソートするソート実行部とを有することを特徴とするものである。
【０００７】
また、本発明に係るネットワーク端末管理プログラムは、管理対象である複数のネットワーク端末に対応付けられているＩＰアドレスを取得するＩＰアドレス取得ステップと、前記ＩＰアドレス取得ステップにてＩＰアドレスが取得されたネットワーク端末に関する情報を、前記ＩＰアドレスに基づいてソートするソート実行ステップとをコンピュータに実行させることを特徴とするものである。
【発明の効果】
【０００８】
以上に詳述したように本発明によれば、特別な登録作業等を行うことなく、ネットワーク端末の管理における負担を軽減することのできる技術を提供することができる。
【発明を実施するための最良の形態】
【０００９】
以下、本発明の実施の形態について図面を参照しつつ説明する。
【００１０】
図１は、本実施の形態によるネットワーク管理装置について説明するためのシステム構成図である。本実施の形態によるネットワーク管理装置１は、ＬＡＮ等の電気通信回線を介してＭＦＰ（Multi Function Peripheral）２０１、ＰＣ（Personal Computer）２０２、ＭＦＰ３０１およびＰＣ３０２等と通信可能に接続されている。
【００１１】
ここで、ＭＦＰ２０１およびＰＣ２０２等は２Ｆフロアに配置される端末グループ２に属し、ＭＦＰ３０１およびＰＣ３０２等は３Ｆフロアに配置される端末グループ３に属しているものとする。
【００１２】
一般に、ネットワークに接続されるネットワーク端末には、それぞれの端末をネットワーク上で識別するためにＩＰアドレスが割り当てられている。また通常は、ＩＰアドレスのネットワークアドレス部分は、端末の設置されるフロアや所属部署など毎に異ならせるように設定されている。
【００１３】
ここでは、ＭＦＰ２０１のＩＰアドレスは「１１１．２２２．５０．１」であり、ＰＣ２０２のＩＰアドレスは「１１１．２２２．５０．２」に設定されている。このように、２Ｆフロアに配置される端末グループ２のＩＰアドレスのネットワークアドレス部分は「１１１．２２２．５０．」に設定されている。
【００１４】
また、ＭＦＰ３０１のＩＰアドレスは「１１１．２２２．１００．１」であり、ＰＣ３０２のＩＰアドレスは「１１１．２２２．１００．２」に設定されている。このように、３Ｆフロアに配置される端末グループ３のＩＰアドレスのネットワークアドレス部分は「１１１．２２２．１００．」に設定されている。
【００１５】
図２は、本実施の形態によるネットワーク端末管理装置について説明するための機能ブロック図である。
【００１６】
本実施の形態によるネットワーク端末管理装置１は、ＩＰアドレス取得部１０１、ソート実行部１０２、セグメント選択部１０３、端末抽出部１０４、画像処理装置抽出部１０５、ＣＰＵ１０６およびメモリ１０７を備えてなる構成となっている。また、ネットワーク端末管理装置１は、ＭＦＰ（Multi Function Peripheral）２０１、ＰＣ（Personal Computer）２０２、ＭＦＰ３０１およびＰＣ３０２等に備えられた不図示の操作入力部へのユーザからの操作入力を受け付けるとともに、その処理結果をＭＦＰ（Multi Function Peripheral）２０１、ＰＣ（Personal Computer）２０２、ＭＦＰ３０１およびＰＣ３０２等における不図示の表示部にて画面表示させるようになっている。
【００１７】
ＩＰアドレス取得部１０１は、所定のタイミングで或いはユーザの操作入力に基づいて、管理対象である複数のネットワーク端末に対応付けられているＩＰアドレスを取得する役割を有している。
【００１８】
ソート実行部１０２は、ＩＰアドレス取得部１０１にてＩＰアドレスが取得されたネットワーク端末に関する情報を、ＩＰアドレスに基づいてソートする役割を有している。
【００１９】
セグメント選択部１０３は、ユーザによる不図示の操作入力部（キーボード、マウス、タッチパネルディスプレイ等）への操作入力に基づいて、ＩＰアドレス取得部にて取得されるＩＰアドレスのネットワークアドレス部分における任意のセグメントを選択する役割を有している。
【００２０】
端末抽出部１０４は、セグメント選択部１０３にて選択されたセグメントに属するＩＰアドレスが対応付けられているネットワーク端末を抽出する役割を有している。
【００２１】
また、画像処理装置抽出部１０５は、端末抽出部１０４にて抽出されたネットワーク端末の中から、所定の情報に基づいて画像処理装置のみを抽出する役割を有している。
【００２２】
ＣＰＵ１０６は、ネットワーク端末管理装置における各種処理を行う役割を有しており、またＭＥＭＯＲＹ１０７に格納されているプログラムを実行することにより種々の機能を実現する役割も有している。ＭＥＭＯＲＹ１０７は、例えばＲＯＭやＲＡＭ等から構成されており、ネットワーク端末管理装置において利用される種々の情報やプログラムを格納する役割を有している。
【００２３】
図３は、本実施の形態によるネットワーク端末管理装置における処理の流れについて説明するためのフローチャートである。
【００２４】
ＩＰアドレス取得部１０１は、管理対象である複数のネットワーク端末（ＭＦＰ２０１、ＰＣ２０２、ＭＦＰ３０１およびＰＣ３０２等）に対応付けられているＩＰアドレスを取得する（ＩＰアドレス取得ステップ）（Ｓ１０１）。
【００２５】
ソート実行部１０２は、ＩＰアドレス取得ステップにてＩＰアドレスが取得されたネットワーク端末に関する情報を、ＩＰアドレスに基づいてソートする（ソート実行ステップ）（Ｓ１０２）。
【００２６】
セグメント選択部１０３は、ユーザのカーソルの移動、キーボード入力およびマウスのクリック等の操作入力に基づいて、ＩＰアドレス取得ステップにて取得されるＩＰアドレスのネットワークアドレス部分における任意のセグメントを選択する（セグメント選択ステップ）（Ｓ１０３）。
【００２７】
端末抽出部１０４は、セグメント選択ステップにて選択されたセグメントに属するＩＰアドレスが対応付けられているネットワーク端末を抽出する（端末抽出ステップ）（Ｓ１０４）。
【００２８】
画像処理装置抽出部１０５によって、端末抽出部１０４にて抽出されたネットワーク端末の中から、所定の情報に基づいて画像処理装置のみを抽出する（画像処理装置抽出ステップ）（Ｓ１０５）。具体的に、画像処理装置抽出部１０５は、抽出されたネットワーク端末の中から、これら端末内に保持されているＨＴＭＬコードやＭＩＢ（Management Information Base）等の情報に基づいて、ＭＦＰのみを抽出する。
【００２９】
図４は、本実施の形態によるネットワーク端末管理装置における処理の詳細について説明するためのフローチャートである。
【００３０】
ネットワーク端末のＩＰアドレス別表示処理を開始すると（Ｓ２０１）、ＩＰアドレス取得部１０１によりデータベースから登録端末のＩＰアドレスが取得される（ＩＰアドレス取得ステップ）（Ｓ２０２）。このデータベースは、メモリ１０７に格納することもできるし、ネットワーク端末管理装置１と通信可能な外部機器に格納する構成とすることもできる。
【００３１】
次に、上述のようにして取得されたＩＰアドレスに基づいて、ＩＰアドレスが取得されたネットワーク端末をセグメント単位に振り分けてＴｒｅｅＶｉｅｗ表示する（ソート実行ステップ）（Ｓ２０３）。
【００３２】
図５は、ソートされたネットワーク端末の情報の例を示す図である。図５に示すようにＴｒｅｅＶｉｅｗ表示されたネットワーク端末のうち「全て」がカーソルやマウスのクリックによって選択されている場合（Ｓ２０４，Ｙｅｓ）、ＩＰアドレスが登録されている全てのネットワーク端末の情報をソートして図５のように表示させる（Ｓ２０５）。
【００３３】
一方、例えばＴｒｅｅＶｉｅｗ表示されたネットワーク端末のうち、「１１１．２２２．５０．」のネットワークアドレス部分を有するネットワーク端末のグループ（ここでは、２Ｆに設置されている端末のグループ２に対応するセグメント）が選択されている場合（Ｓ２０６，Ｙｅｓ）、当該セグメント「１１１．２２２．５０．」に属するネットワーク端末に関する情報をソートして図６のように表示させる（Ｓ２０７）。
【００３４】
この他、ＴｒｅｅＶｉｅｗ表示されたネットワーク端末のうち、いずれかのネットワーク端末単体（例えば、「ＭＦＰ２０１」）が選択されている場合（Ｓ２０８，Ｙｅｓ）、ＭＦＰ２０１に関する情報のみを表示させる（Ｓ２０９）。
【００３５】
ところで、単にＩＰアドレスに基づいてソートするだけでは、ＭＦＰやＰＣに関する情報が混在した状態で画面表示されることになる。よって、例えばネットワーク端末のうちＭＦＰのみを抽出してソート表示させたい場合には、画像処理装置抽出部１０５によってＴｒｅｅＶｉｅｗ表示されたネットワーク端末のうち、ＭＦＰのみを抽出して図７のように表示させることも可能である。
【００３６】
なお、上述の例では、ＩＰアドレスに基づいて、単に昇順または降順でソートする例を挙げたが、これに限られるものではなく、ネットワーク端末管理装置がＩＰアドレスによってグループ化されている場合、当該ネットワーク端末管理装置を構成するＰＣ等を含むグループが最上位に表示されるようにソートする構成とすることもできる。
【００３７】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００３８】
このように、ネットワーク端末に対して予め割り当ててあるＩＰアドレスに基づいて、これらネットワーク端末のソート等を行う構成とすることで、管理者による登録作業等の手間が減り、管理負担の軽減に寄与することができる。
【００３９】
本発明を特定の態様により詳細に説明したが、本発明の精神および範囲を逸脱しないかぎり、様々な変更および改質がなされ得ることは、当業者には自明であろう。
【図面の簡単な説明】
【００４０】
【図１】本実施の形態によるネットワーク管理装置について説明するためのシステム構成図である。
【図２】本実施の形態によるネットワーク端末管理装置について説明するための機能ブロック図である。
【図３】本実施の形態によるネットワーク端末管理装置における処理の流れについて説明するためのフローチャートである。
【図４】本実施の形態によるネットワーク端末管理装置における処理の詳細について説明するためのフローチャートである。
【図５】ソートされたネットワーク端末の情報の例を示す図である。
【図６】２Ｆに設置されているネットワーク端末のみの情報を抽出した例を示す図である。
【図７】ネットワーク端末の内からＭＦＰのみを抽出した例を示す図である。
【符号の説明】
【００４１】
１  ネットワーク端末管理装置、１０１  ＩＰアドレス取得部、１０２  ソート実行部、１０３  セグメント選択部、１０４  端末抽出部、１０５  画像処理装置抽出部、１０６  ＣＰＵ、１０７  メモリ。
【図１】
2006295459.tif 000003
【図２】
2006295459.tif 000004
【図３】
2006295459.tif 000005
【図４】
2006295459.tif 000006
【図５】
2006295459.tif 000007
【図６】
2006295459.tif 000008
【図７】
2006295459.tif 000009